(57)【要約】【課題】多数の凹部を備えた外壁パネルとバルコニー腰壁の端面の間において、高い止水性が得られる止水構造を提供すること。【解決手段】凹部と凸部を備えた外壁１Ａから張出しているバルコニー床梁４６に対して、バルコニー腰壁４０の下方の取付け部が固定された状態で、バルコニー腰壁４０の端面４１ａと外壁１Ａとの間に形成されている止水構造１００であり、端面４１ａの幅方向に延出する乾式止水材１０が圧縮された状態で介在し、乾式止水材１０は圧縮性のある弾性体からなり、台座１１と、台座１１の外壁側の側面から張出している複数の細棒１４と、台座１１の側面から細棒１４と同じ長さ張出して複数の細棒１４の上下に配設されている上プレート１２及び下プレート１３とを有し、台座１１及び上プレート１２の上面に、乾式止水材１０よりも相対的に圧縮性が小さくて剛性の高い押さえプレート２０が取り付けられている。【選択図】図３
2019060149.tif 000002
【特許請求の範囲】
【請求項１】
凹部と凸部を備えた外壁から張出しているバルコニー床梁に対して、バルコニー腰壁の下方の取付け部が固定された状態で、前記バルコニー腰壁の端面と前記外壁との間に形成されている、外壁とバルコニー腰壁の止水構造であって、
前記端面と前記外壁の間に、前記端面の幅方向に延出する乾式止水材が圧縮された状態で介在しており、
前記乾式止水材は、
圧縮性のある弾性体からなり、
前記端面の幅方向に延出して該端面に取付けられている台座と、該台座の外壁側の側面から張出している複数の細棒と、該台座の該側面から該細棒と同じ長さ張出して該複数の細棒の上下に配設されている上プレート及び下プレートと、を有しており、
前記台座及び前記上プレートの上面に、前記乾式止水材よりも相対的に圧縮性が小さくて剛性の高い押さえプレートが取り付けられていることを特徴とする、外壁とバルコニー腰壁の止水構造。
【請求項２】
前記押さえプレートは、前記上プレートよりも外壁側へ張り出していないことを特徴とする、請求項１に記載の外壁とバルコニー腰壁の止水構造。
【請求項３】
前記押さえプレートと前記乾式止水材との組み合わせが、上下に複数組並んで配設されていることを特徴とする、請求項１又は２に記載の外壁とバルコニー腰壁の止水構造。
【請求項４】
前記押さえプレート及び前記乾式止水材が、前記取付け部の近傍に配設されていることを特徴とする、請求項１乃至３のいずれか一項に記載の外壁とバルコニー腰壁の止水構造。
【請求項５】
前記乾式止水材の下方の前記端面の左右位置において、縦方向に延出する他の乾式止水材が配設されており、
前記他の乾式止水材は、圧縮性のある弾性体からなり、少なくとも、台座と、該台座の外壁側の側面から張出している複数の細棒と、を有していることを特徴とする、請求項１乃至４のいずれか一項に記載の外壁とバルコニー腰壁の止水構造。
【請求項６】
前記弾性体が独立気泡構造体からなることを特徴とする、請求項１乃至５のいずれか一項に記載の外壁とバルコニー腰壁の止水構造。
【発明の詳細な説明】
【技術分野】
【０００１】
本発明は、建物の外壁とバルコニー腰壁の止水構造に関する。
【背景技術】
【０００２】
建物の外壁には、凹部と凸部を有する様々な柄模様を備えた外壁パネルが適用されることが多くなっており、このような外壁パネルとして、例えば、窯業系サイディング材や金属系サイディング材から形成されるパネルを挙げることができる。凹部の深さ、すなわち柄底までの深さが深くなるにつれて、外観意匠性が高まることから、従来の外壁パネルに比べて凹部の深さをより深くした、深掘りの外壁パネルの製作も行われている。例えば、柄底までの深さが９ｍｍ程度であったものが１２ｍｍ程度まで３ｍｍ程度深くなることにより、外壁パネルの醸し出す外観意匠性は格段に優れたものになる。
【０００３】
ところで、数階建ての戸建て住宅やマンションなどでは、２階以上の階にバルコニーが取付けられることが多い。バルコニーは、現場にて外壁パネルの建て方が終了した後に、この外壁パネルからバルコニー床梁を張り出させ、バルコニー床梁にバルコニー腰壁を支持させるようにして施工される。バルコニー腰壁の内側には、バルコニー床梁に支持されるようにしてバルコニー床が施工される。バルコニー床梁の下方にはバルコニー底板が取付けられ、バルコニー床梁は外部から遮断される。仮に、施工されたバルコニー腰壁の端面と外壁パネルとの間に隙間があると、この隙間を通して雨水等がバルコニー床梁等へ浸入する恐れがある。バルコニー床梁が木材の場合は、浸入した雨水によって腐食し、バルコニー床梁がＨ型鋼等の形鋼の場合は、形鋼表面の塗膜が雨水にて劣化し、鋼材が露出して腐食に至り得る。また、バルコニー腰壁が金属製の腰壁フレームを内部に備えている場合には、内部の腰壁フレームに雨水が浸入し、腰壁フレームの表面の酸化被膜が破壊されて腐食に至り得る。
【０００４】
従って、バルコニー腰壁の端面と外壁パネルの間には、バルコニーの構造内部に雨水等が浸入しない止水対策が講じられる必要がある。特に、上記する凹部と凸部を有する外壁パネルの場合は、バルコニー腰壁と外壁パネルの間に隙間が形成され易いことから、止水対策はより一層必須となり、かつ重要になる。このように凹部を有する外壁パネルとバルコニー腰壁の間の止水対策として、従来は、外壁パネルのうち、バルコニー腰壁の端面が取り付く表面において、凹部を解消してフラットな取付け面を形成するような削り取りが行われ、形成されたフラットな取付け面にバルコニー腰壁の端面を当接させて取り付ける方法が適用されることがあった。しかしながら、この方法は、外壁パネルの表面の削り取りに手間と時間を要することや、削り取りの際に少なからず外壁パネルを痛めてしまう可能性があるといった課題を有している。
【０００５】
一方、外壁パネルの縦目地部位にある凹部内に細長い乾式目地止水材を挿入し、バルコニー腰壁の端面をこの縦目地部位に当接させた後、乾式止水材を備えた金物をバルコニー腰壁の天端でかつ外壁パネルに乾式止水材を押し込んで圧縮させながら取り付ける防水方法や防水構造が提案されている（例えば、特許文献１参照）。
【先行技術文献】
【特許文献】
【０００６】
【特許文献１】特開２００５−２５６５０８号公報
【発明の概要】
【発明が解決しようとする課題】
【０００７】
しかしながら、特許文献１に記載の防水構造は、凹部と凸部を有した柄模様のある外壁パネルとバルコニー腰壁の端面の間の止水を目的としたものでないことから、ここで開示される長尺の乾式目地止水材を外壁パネルの備える多数の凹部内に入り込ませることはできず、有効な止水構造を形成することはできない。
【０００８】
本発明は上記課題に鑑みてなされたものであり、多数の凹部を備えた外壁パネルとバルコニー腰壁の端面の間において、外壁パネルの表面の削り取りを不要としながら、高い止水性が得られる外壁とバルコニー腰壁の止水構造を提供することを目的としている。
【課題を解決するための手段】
【０００９】
前記目的を達成すべく、本発明による外壁とバルコニー腰壁の止水構造の一態様は、凹部と凸部を備えた外壁から張出しているバルコニー床梁に対して、バルコニー腰壁の下方の取付け部が固定された状態で、前記バルコニー腰壁の端面と前記外壁との間に形成されている、外壁とバルコニー腰壁の止水構造であって、
前記端面と前記外壁の間に、前記端面の幅方向に延出する乾式止水材が圧縮された状態で介在しており、
前記乾式止水材は、
圧縮性のある弾性体からなり、
前記端面の幅方向に延出して該端面に取付けられている台座と、該台座の外壁側の側面から張出している複数の細棒と、該台座の該側面から該細棒と同じ長さ張出して該複数の細棒の上下に配設されている上プレート及び下プレートと、を有しており、
前記台座及び前記上プレートの上面に、前記乾式止水材よりも相対的に圧縮性が小さくて剛性の高い押さえプレートが取り付けられていることを特徴とする。
【００１０】
本態様によれば、圧縮性のある乾式止水材の有する複数の細棒が凹部内に入り込み、この複数の細棒を上方の上プレートが上方から押さえ付けるとともに、この上プレートを上方にある相対的に高剛性の押さえプレートが押さえ付けることにより、複数の細棒を凹部内に十分に入り込ませ、高い止水性を得ることができる。また、押さえプレートの例えば先端が外壁パネルの表面に圧縮された状態で当接することにより、このことによっても高い止水性が得られる。
【００１１】
また、本発明による外壁とバルコニー腰壁の止水構造の他の態様において、前記押さえプレートは、前記上プレートよりも外壁側へ張り出していないことを特徴とする。
本態様によれば、例えば、重機で吊った状態のバルコニー腰壁を外壁パネルに押さえ付けながら吊降ろして着座させる取り付け方法の際に、上方にあって相対的に高剛性の押さえプレートが外壁パネルに押し込まれ過ぎて吊り下げ方向と反対側に反り上がり、複数の細棒を下方へ押さえ込む押さえプレートによる機能が阻害されることを解消できる。
【００１２】
また、本発明による外壁とバルコニー腰壁の止水構造の他の態様は、前記押さえプレートと前記乾式止水材との組み合わせが、上下に複数組並んで配設されていることを特徴とする。
本態様によれば、例えば、下方の押さえプレートが、その上下にある乾式止水材で挟み込まれていることにより、押さえプレートの例えば先端が外壁パネルにしっかりと当接し、当該当接箇所にて高い止水性を得ることができる。
【００１３】
また、本発明による外壁とバルコニー腰壁の止水構造の他の態様は、前記押さえプレート及び前記乾式止水材が、前記取付け部の近傍に配設されていることを特徴とする。
本態様によれば、バルコニー床梁に取付けられているバルコニー腰壁に作用する取付け力を、取付け部の近傍にある押さえプレートと乾式止水材に効果的に付与することができるため、外壁パネルに対して押さえプレートと乾式止水材を十分に押さえ込んで圧縮させることができる。
【００１４】
また、本発明による外壁とバルコニー腰壁の止水構造の他の態様は、前記乾式止水材の下方の前記端面の左右位置において、縦方向に延出する他の乾式止水材が配設されており、
前記他の乾式止水材は、圧縮性のある弾性体からなり、少なくとも、台座と、該台座の外壁側の側面から張出している複数の細棒と、を有していることを特徴とする。
本態様によれば、バルコニー腰壁の端面の幅方向に延出する押さえプレート及び乾式止水材を水分が通過して下方に流れた場合でも、左右位置にある縦方向に延出する他の乾式止水材にて水分がバルコニー腰壁の中央側へ流れ込んでくることを抑制することができ、このように水分が中央側へ流れ込んでバルコニー腰壁の構造内部に浸入することを抑制することができる。
【００１５】
また、本発明による外壁とバルコニー腰壁の止水構造の他の態様は、前記弾性体が独立気泡構造体からなることを特徴とする。
本態様によれば、弾性体が独立気泡構造体からなることにより、少ない圧縮率でも止水が可能になる。
【発明の効果】
【００１６】
以上の説明から理解できるように、本発明の外壁とバルコニー腰壁の止水構造によれば、外壁パネルの表面の削り取りを不要としながら、高い止水性を有する止水構造を提供できる。
【図面の簡単な説明】
【００１７】
【図１】各実施形態に係る外壁とバルコニー腰壁の止水構造が適用される住宅の一例の斜視図である。
【図２】乾式止水材と押さえプレートの接着体の一例の斜視図である。
【図３】第１の実施形態に係る外壁とバルコニー腰壁の止水構造が形成される前の、バルコニー腰壁とバルコニー床梁を示す斜視図である。
【図４】バルコニー床梁にバルコニー腰壁を取付ける施工方法を説明した施工図である。
【図５】第１の実施形態に係る外壁とバルコニー腰壁の止水構造を、壁の縦断面図とともにバルコニーの内側から見た図である。
【図６】図５のVI部の拡大図である。
【図７】第２の実施形態に係る外壁とバルコニー腰壁の止水構造が形成される前の、バルコニー腰壁とバルコニー床梁を示す斜視図である。
【図８】第２の実施形態に係る外壁とバルコニー腰壁の止水構造を、壁の縦断面図とともにバルコニーの内側から見た図である。
【図９】図８のIX部の拡大図である。
【図１０】第３の実施形態に係る外壁とバルコニー腰壁の止水構造が形成される前の、バルコニー腰壁とバルコニー床梁を示す斜視図である。
【図１１】第３の実施形態に係る外壁とバルコニー腰壁の止水構造を、壁の縦断面図とともにバルコニーの内側から見た図である。
【発明を実施するための形態】
【００１８】
以下、各実施形態に係る外壁とバルコニー腰壁の止水構造について添付の図面を参照しながら説明する。なお、本明細書及び図面において、実質的に同一の構成要素については、同一の符号を付することにより重複した説明を省く。
【００１９】
［第１の実施形態］
＜住宅の概要＞
はじめに、図１を用いて、各実施形態に係る外壁とバルコニー腰壁の止水構造が適用される住宅の一例を説明する。図１に示す建物Ｈは、軽量鉄骨２階建ての住宅である。外壁パネル（外壁）１Ａはサイディング材から形成されている。このサイディング材としては、窯業系サイディング、アルミや鋼板からなる金属系サイディング、天然木を加工してなる木質系サイディング、塩化ビニル樹脂等からなる樹脂系サイディングなどが挙げられる。この外壁パネル１Ａは、その表面に様々な凹凸からなる柄模様を有している。図１には、外壁パネル１Ａの拡大図を載せているが、図示するように、水平方向に所定の間隔に配設された複数の鉛直凹部１ｂと、鉛直方向に所定の間隔に配設された複数の水平凹部１ａを有しており、これら鉛直凹部１ｂ及び水平凹部１ａにて矩形状の凸部が形成されている。鉛直凹部１ｂ、水平凹部１ａはともに、柄底までの深さが例えば１２ｍｍ程度の深掘りとなっており、深掘りの外壁パネル１Ａにより、住宅Ｈの外観意匠性を高めている。外壁パネル１Ａは、その上下端面が厚みの半分だけ削り取られて実を形成し、上下に隣接する外壁パネル１Ａの実同士を重ね合わせる合いじゃくり接合により、上下に列状に複数の外壁パネル１Ａが取り付けられている。そして、各列の間には縦目地２があり、この縦目地２は、不図示の目地ジョイナーと、ガスケット等の乾式止水材とから形成されている。なお、縦目地２が湿式の止水材を備えていてもよい。
【００２０】
図１に示す住宅Ｈは、２階にバルコニー４を備えており、掃き出し窓３から出入り自在になっている。バルコニー４を形成するバルコニー腰壁と外壁パネル１Ａの間に、以下で詳説する各実施形態に係る止水構造が形成される。
【００２１】
＜乾式止水材と押さえプレートの接着体＞
次に、図２を用いて、各実施形態に係る外壁とバルコニー腰壁の止水構造を形成する、乾式止水材と押さえプレートの接着体について説明する。図２は、乾式止水材と押さえプレートの接着体の一例の斜視図である。乾式止水材１０は、圧縮性のある弾性体からなり、台座１１と、台座１１の側面から張出している複数の細棒１４と、複数の細棒１４の束を上下で挟む上プレート１２及び下プレート１３と、を有している。複数の細棒１４は、鉛直方向及び水平方向の多数のスリットで形成されている。例えば、全体寸法が高さｔ、張出し長さｓ、幅ｖの立方体の弾性体に対し、台座１１の張出し長さｓ１を確保し、かつ、上プレート１２と下プレート１３の高さｔ１を確保しながら、鉛直方向と水平方向に多数のスリットを形成することにより、図示する乾式止水材１０を製作することができる。なお、例えば、台座１１、上プレート１２、下プレート１３及び多数の細棒１４をそれぞれ別体に製作し、相互に接着して図示例の乾式止水材１０を製作してもよい。
【００２２】
圧縮性のある弾性体である乾式止水材１０は、独立気泡構造体を材料としている。独立気泡構造体は、気泡が独立して並んだ構造を有している例えばスポンジであり、連続気泡構造体のように気体や液体を通過させない材料である。より具体的には、乾式止水材１０をＥＰＤＭ系ゴム（エチレンプロピレンゴム）やポリエチレンゴム等から製作することができる。後述するように、乾式止水材１０は、バルコニー腰壁の端面に接着等された状態で外壁パネルに押し付けられ、この押し付けられた状態で外壁パネル表面を滑らすように吊り降ろされてバルコニー腰壁がバルコニー床梁に着座されるような施工方法に晒される。この施工方法において、乾式止水材１０は、押圧された状態で外壁パネル表面を滑る際に損傷せず、かつ、バルコニー腰壁の着座位置において複数の細棒１４が外壁パネルの凹部内にしっかりと入り込むことのできる、変形性能と剛性、及び耐摩耗性等を備えている必要がある。従って、このような性能を付与できる材料が乾式止水材１０の製作に用いられ、かつ、乾式止水材１０の各部の寸法や形状が設定される。
【００２３】
乾式止水材１０では、上プレート１２と下プレート１３が多数の細棒１４の束を挟み込んでいることにより、上記施工方法においても多数の細棒１４が上方に大きく反り上がることが抑制され、このことによって、多数の細棒１４を外壁パネル１Ａの水平凹部１ａや鉛直凹部１ｂ内に入り込ませることができる。また、多数の細棒１４は、押圧された際に容易に変形して鉛直凹部１ｂや水平凹部１ａに入り込むことができるとともに、多数の細棒１４の内部に水分を保持し、時間経過とともに水分を蒸発させて消散できる。
【００２４】
乾式止水材１０の寸法の一例として、ｓ１を１０ｍｍ、ｓ２を２０ｍｍ、ｓを３０ｍｍ、ｔ１を５ｍｍ、ｔ２を２０ｍｍ、ｔ３を５ｍｍ、ｔを３０ｍｍ、ｖを１００ｍｍ程度に設定することができる。なお、乾式止水材１０の幅ｖは、バルコニー腰壁の端面の幅方向の長さに対応しており、この端面の幅に応じて設定される。
【００２５】
上記施工方法においては、例えば、張出し長さｓが３０ｍｍの乾式止水材１０が外壁パネル１Ａに押圧されて圧縮し、張出し長さが１２ｍｍ程度とされた状態で外壁パネル１Ａの表面を滑りながら吊り降ろされる。
【００２６】
一方、乾式止水材１０の上面に接着される押さえプレート２０は、乾式止水材１０よりも相対的に圧縮性が小さく、従って剛性の高い部材である。例えば、乾式止水材１０がＥＰＤＭ系ゴムスポンジから製作される場合に、押さえプレート２０をＰＰ樹脂（ポリプロピレン）やＰＥ樹脂（ポリエチレン）等から製作することができる。
【００２７】
相対的に高剛性の押さえプレート２０が乾式止水材１０の上面に接着されていることにより、上記施工方法の際に多数の細棒１４の束の反り上がりを押さえ込んでいる、上プレート１２の反り上がりを抑制することができる。このことにより、多数の細棒１４を水平凹部１ａや鉛直凹部１ｂ内に入り込ませることができ、高い止水性を得ることができる。また、押さえプレート２０自身も外壁パネル１Ａの表面に当接することにより、より一層高い止水性が得られる。
【００２８】
また、押さえプレート２０は、乾式止水材１０の台座１１と上プレート１２の上面に接着されるものの、上プレート１２よりも張り出し長さは少ない。このことにより、上記施工方法の際に、外壁パネル１Ａに対して押さえプレート２０が過度に押圧され、滑り降ろされる際に押さえプレート２０が上方に反り上がることを抑制できる。さらに、相対的に高剛性の押さえプレート２０が外壁パネル１Ａの表面を圧縮された状態で滑り降ろされる過程で、押さえプレート２０が外壁パネル１Ａを過度に押圧して当該外壁パネル１Ａの表面を傷付けることも抑制できる。
【００２９】
押さえプレート２０の寸法の一例として、ｓ３を２０ｍｍ、ｔ４を０．２ｍｍ、ｖを１００ｍｍ程度（乾式止水材１０と同寸法）に設定することができる。押さえプレート２０は、乾式止水材１０の台座１１と上プレート１２の上面に対して接着剤もしくは接着テープを介して接着される。
【００３０】
なお、押さえプレート２０が上プレート１２及び多数の細棒１４の束よりも張り出し長さが少ないことに関し、図示例は、上プレート１２及び多数の細棒１４の束の台座１１からの張り出し長さ（ｓ２）が２０ｍｍであるのに対して、押さえプレート２０のうち、上プレート１２及び多数の細棒１４の束の上にある領域の長さは１０ｍｍであり、従って、押さえプレート２０の張り出し長さは１０ｍｍ短い。上プレート１２及び多数の細棒１４の束の張り出し長さ（ｓ２）に対して、押さえプレート２０の張り出し長さがどの程度短いかに関しては、ｓ２を２０ｍｍに設定した場合、５ｍｍ〜１５ｍｍの範囲で短く設定するのが好ましい。すなわち、この場合、押さえプレート２０の張り出し長さは、５ｍｍ〜１５ｍｍの範囲となり、ｓ２の１／４〜３／４の長さ範囲となる。押さえプレート２０の張り出し長さがｓ２の１／４未満であると、押さえプレート２０による押さえ効果が不十分となる。一方、押さえプレート２０の張り出し長さがｓ２の３／４を超えると、上記する施工方法、すなわち、外壁パネルに押し付けられた状態で外壁パネル表面を滑らすように着座位置まで吊り降ろされる施工の際に、押さえプレート２０が過度に外壁パネルに押し付けられ、乾式止水材１０と押さえプレート２０の接着体を滑り難くする。
【００３１】
＜外壁とバルコニー腰壁の止水構造＞
次に、第１の実施形態に係る外壁とバルコニー腰壁の止水構造について、バルコニー床梁にバルコニー腰壁を着座させる施工方法とともに説明する。図３は、第１の実施形態に係る外壁とバルコニー腰壁の止水構造が形成される前の、バルコニー腰壁とバルコニー床梁を示す斜視図である。バルコニー腰壁４０は、平面形状が横長のトラック形状を成す金属製の腰壁フレーム４１と、腰壁フレーム４１の有する二つの広幅側面の一方に下地枠４２を介して取付けられた外壁パネル４３と、広幅側面の他方に下地枠４２を介して取付けられた内壁パネル４４と、を有する。内壁パネル４４は、バルコニーの内側に対向するパネルであり、材質は外壁パネル１Ａと例えば同じであり、その表面には、外壁パネル１Ａと同様に、所定の間隔を置いて並設される複数の鉛直凹部４４ａと水平凹部４４ｂとを有する。外壁パネル４３はバルコニーの屋外に対向するパネルであり、内壁パネル４４と同様に、材質は外壁パネル１Ａと例えば同じであり、その表面には、外壁パネル１Ａと同様に、所定の間隔を置いて並設される複数の鉛直凹部４３ａと水平凹部４３ｂとを有する。
【００３２】
バルコニー腰壁４０は、その下方部分において、内壁パネル４４と腰壁フレーム４１の内側のない、窪んだ領域を有しており、外壁パネル４３と、当該外壁パネル４３側の腰壁フレームプレートのみが下方まで延びている。そして、内側に露出した腰壁フレームプレートの表面に、ボルト孔４５ａが開設された二つの金属プレート４５が間隔を置いて溶接にて接続されている。なお。この金属プレート４５の形成方法は図示例に限定されるものではなく、腰壁フレームプレートを切断加工および９０度折り曲げ加工して形成してもよいし、他のエンボス加工等にて形成してもよい。
【００３３】
一方、不図示の住宅の外壁からは、バルコニー床梁４６が張り出している。このバルコニー床梁４６は例えばＨ型鋼からなり、住宅の階間にあるＨ型鋼等からなる梁や、鋼管柱等に接続されている。バルコニー床梁４６の上方フランジの上面には、バルコニー腰壁４０の有する二つの金属プレート４５を丁度挟み込む位置に、ボルト孔４７ａが開設された二つの固定用アングル４７が溶接にて取付けられている。バルコニー腰壁４０は、金属プレート４５が二つの固定用アングル４７に挟みこまれるようにして吊り降ろされて着座し、対応する金属プレート４５のボルト孔４５ａと固定用アングル４７のボルト孔４７ａに対して不図示のボルトが挿通されることにより、バルコニー床梁４６へのバルコニー腰壁４０の取り付けが行われる。なお、外壁パネル１Ａとの間に止水構造を形成するバルコニー腰壁４０はバルコニー空間を挟んで他方側にも存在し、これら二つのバルコニー腰壁４０の前面に、前面腰壁が取り付けられて平面視コの状のバルコニー腰壁が形成される。
【００３４】
バルコニー腰壁４０を形成する腰壁フレームの外壁パネル１Ａ側の端面４１ａの下方位置、すなわち、上記窪んだ領域の直上位置には、乾式止水材１０と押さえプレート２０の接着体が、押さえプレート２０を上方に配置された姿勢で、端面４１ａの幅方向に延出するようにして接着等にて取付けられている。
【００３５】
第１の実施形態に係る止水構造を説明する前に、図４を用いて、バルコニー床梁４６にバルコニー腰壁４０を取付ける施工方法を説明する。図４（ａ）に示すように、バルコニー腰壁４０を不図示のクレーンで吊りながら、不図示の作業員がバルコニー腰壁４０を外壁パネル１Ａ側に押し込む。例えば、上記するように、張出し長さｓが３０ｍｍの乾式止水材１０を押し込んで乾式止水材１０と押さえプレート２０を圧縮させ、図４（ｂ）に示すように、乾式止水材１０の張出し長さｕが１２ｍｍ程度になるまで押込力を付与する。例えばこの乾式止水材１０が１２ｍｍの張出し長さとなる位置（バルコニー腰壁４０と外壁パネル１Ａとの離間）は、バルコニー腰壁４０が吊り降ろされてバルコニー床梁４６上に着座した際に、上記するようにバルコニー腰壁４０の有する二つの金属プレート４５がバルコニー床梁４６の有する二つの固定用アングル４７に丁度挟み込まれる位置である。
【００３６】
バルコニー腰壁４０は外壁パネル１Ａ側に押込力を付与され、乾式止水材１０と押さえプレート２０が圧縮された状態で、下方に吊り降ろされる過程で乾式止水材１０は上方向きの摩擦力を受けることになる。
【００３７】
図４に示す施工方法によって形成される、第１の実施形態に係る外壁とバルコニー腰壁の止水構造を、図５及び図６を用いて説明する。図５は、止水構造を壁の縦断面図とともにバルコニーの内側から見た図である。また、図６は、図５のVI部の拡大図であり、バルコニー腰壁４０が着座した状態において、乾式止水材１０と押さえプレート２０の接着体が外壁パネル１Ａの凹部（ここでは水平凹部１ａ）に対して二つのパターンで接触している状態を示している。
【００３８】
図５に示すように、バルコニー床梁４６にバルコニー腰壁４０が着座した状態において、対応する金属プレート４５のボルト孔４５ａと固定用アングル４７のボルト孔４７ａに対してボルト４８が挿通され、ナット締めされることにより、バルコニー腰壁４０がバルコニー床梁４６に固定される。図示するバルコニー腰壁４０が固定された状態において、乾式止水材１０と押さえプレート２０の接着体は、取付け部５０の近傍において、外壁パネル１Ａの水平凹部１ａに押圧された状態で入り込み、止水構造１００が形成される。ここで、「近傍」とは、取付け部５０に近い位置を示す意味であり、図示するように端面４１ａの下方位置を意味する。
【００３９】
また、図５を参照して壁１の構造を概説する。壁１は、外側から順に、サイディング材等からなる柄模様を備えた外壁パネル１Ａと、通気層１Ｂを挟んで室内側に配された透湿防水シート１Ｃが貼着された外張り断熱材１Ｄと、断熱材１Ｅと、防湿シート１Ｆと、内装材１Ｇとを有する。断熱材１Ｅはグラスウールやロックウール等からなり、内装材１は石膏ボード等からなる。
【００４０】
この止水構造１００においては、乾式止水材１０と押さえプレート２０の接着体と、外壁パネル１Ａの水平凹部１ａとの位置関係で、例えば図６（ａ）、（ｂ）に示す二つのパターンの止水構造が形成できる。まず、図６（ａ）に示す止水構造１００は、押さえプレート２０が水平凹部１ａ内に入り込んでいない形態である。図４に示す施工方法にて接着体は全体として押圧された状態で上方に向かうＸ方向に反り上がる傾向を示すが、水平凹部１ａ内に入り込んでいない押さえプレート２０は外壁パネル１Ａの表面に押し込まれた状態で下方にある乾式止水材１０を押圧力Ｐ１にて押し下げ、乾式止水材１０の例えば上プレート１２や細棒１４の上方への過度の反り上がりを抑制している。上プレート１２や細棒１４の反り上がりが抑制されることにより、これらは水平凹部１ａの柄底まで十分に入り込むことができ、水平凹部１ａが深堀りに形成されている住宅Ｈにおいても、細棒１４が水平凹部１ａの柄底まで到達することができる。また、押さえプレート２０自身もその先端が外壁パネル１Ａに対してある程度の押圧力で接触している。従って、これらが相俟って、止水性の高い止水構造１００が形成される。
【００４１】
また、図６（ｂ）に示す止水構造１００は、押さえプレート２０が水平凹部１ａ内に入り込んでいる形態である。この形態では、押さえプレート２０の圧縮変形が緩和され、水平凹部１ａ内で上プレート１２や細棒１４を押圧力Ｐ２にて下方に押し込んでいる。この形態においても、押さえプレート２０にて上プレート１２や細棒１４の反り上がりが抑制されることにより、これらが水平凹部１ａの柄底まで十分に入り込むことができ、止水性の高い止水構造１００が形成される。
【００４２】
このように、バルコニー腰壁４０の着座位置において形成される止水構造１００に関し、乾式止水材１０と押さえプレート２０の接着体と、外壁パネル１Ａの水平凹部１ａとの間の位置関係が想定されるいずれの場合であっても、高い止水性を有する止水構造１００が形成される。
【００４３】
また、第１の実施形態に係る止水構造１００では、乾式止水材１０と押さえプレート２０の接着体が取付け部５０の近傍に位置している。従って、取付け部５０におけるボルトナットの締め付け力が接着体に作用し易く、接着体に要求される所望の圧縮状態（例えば、上記するように、張出し長さ３０ｍｍを所定値である１２ｍｍまで圧縮した状態で、圧縮率４０％）を形成し易くできる。
【００４４】
なお、図示を省略するが、外壁パネル１Ａの有する鉛直凹部１ｂのある位置に接着体がある場合や、水平凹部１ａと鉛直凹部１ｂの交差する位置に接着体がある場合においても、同様に高い止水性が得られることに変わりはない。
【００４５】
止水構造１００により、バルコニーが完成した状態において、バルコニー腰壁４０と外壁パネル１Ａの間を通過する雨水等を止水し、この雨水等が取付け部５０を構成する固定用アングル４７や金属プレート４５、バルコニー床梁４６等のバルコニーの内部構造部材に浸入することを防止できる。
【００４６】
［第２の実施形態］
次に、第２の実施形態に係る外壁とバルコニー腰壁の止水構造について、図７乃至図９を用いて説明する。ここで、図７は、第２の実施形態に係る外壁とバルコニー腰壁の止水構造が形成される前の、バルコニー腰壁とバルコニー床梁を示す斜視図である。図８は、第２の実施形態に係る外壁とバルコニー腰壁の止水構造を、壁の縦断面図とともにバルコニーの内側から見た図である。さらに、図９は、図８のIX部の拡大図であって、バルコニー腰壁４０が着座した状態において、乾式止水材１０と押さえプレート２０の接着体が外壁パネル１Ａの水平凹部１ａに対して接触している状態を示している。
【００４７】
図７に示すように、バルコニー腰壁４０の端面４０ａの下方位置には、乾式止水材１０と押さえプレート２０の接着体が二つ上下に積層するようにして取付けられている。ここで、下方の押さえプレート２０は、下方の乾式止水材１０とは接着されているが、上方の乾式止水材１０にも接着されていてもよいし、非接着の状態で上方の乾式止水材１０と密着しているだけでもよい。
【００４８】
図７に示すバルコニー腰壁４０がバルコニー床梁４６に着座し、取付け部５０にてボルト固定されることにより、図８に示す第２の実施形態に係る止水構造２００が形成される。止水構造２００は、取付け部５０の近傍において、乾式止水材１０と押さえプレート２０からなる二つの接着体が上下に積層した状態で、かつ圧縮された状態で、バルコニー腰壁４０と外壁パネル１Ａの間に形成されている。図９に示すように、上方の押さえプレート２０がその下方の乾式止水材１０を押圧力Ｐ３にて下方に押し下げ、下方の押さえプレート２０もその下方の乾式止水材１０を押圧力Ｐ４にて下方に押し下げている。上方の乾式止水材１０は水平凹部１ａ内に入っておらず、外壁パネル１Ａの表面に位置しており、下方の乾式止水材１０は水平凹部１ａ内に入っているが、いずれの乾式止水材１０とも上方の押さえプレート２０で下方に押し下げられ、上方への過度の反り上がりが抑制されている。上方の乾式止水材１０は外壁パネル１Ａの表面に押圧されて止水性を発揮し、下方の乾式止水材１０は水平凹部１ａ内に入り込んで止水性を発揮する。
【００４９】
さらに、下方の押さえプレート２０は上下の乾式止水材１０で挟み込まれていることにより、この押さえプレート２０が上方へ反り上がることが効果的に抑制され、外壁パネル１Ａの表面にしっかりと接触する。このことにより、止水構造２００の止水性がより一層高められる。
【００５０】
［第３の実施形態］
次に、第３の実施形態に係る外壁とバルコニー腰壁の止水構造について、図１０及び図１１を用いて説明する。ここで、図１０は、第３の実施形態に係る外壁とバルコニー腰壁の止水構造が形成される前の、バルコニー腰壁とバルコニー床梁を示す斜視図である。図１１は、第３の実施形態に係る外壁とバルコニー腰壁の止水構造を、壁の縦断面図とともにバルコニーの内側から見た図である。
【００５１】
図１０に示すように、バルコニー腰壁４０の端面４０ａには、その上方位置において、乾式止水材１０と押さえプレート２０の接着体が取付けられており、乾式止水材１０の下方の端面４０ａの左右位置には、縦方向に延出する二つの他の構成の乾式止水材３０が配設されている。この乾式止水材３０は、乾式止水材１０と同素材の細長の台座３１と、多数の細棒３２の束から形成されている。細長の六面体に対し、台座３１を確保するようにして鉛直方向および水平方向に多数のスリットを設けることにより、図示する形態の乾式止水材３０を製作することができる。
【００５２】
図１０に示すバルコニー腰壁４０がバルコニー床梁４６に着座し、取付け部５０にてボルト固定されることにより、図１１に示す第３の実施形態に係る止水構造３００が形成される。止水構造３００は、バルコニー腰壁４０の上方位置において、乾式止水材１０と押さえプレート２０の接着体が押圧されることにより、他の実施形態の止水構造１００，２００と同様に高い止水性を発揮する。しかしながら、バルコニー腰壁４０の上方位置で止水することより、仮に水分が接着体を通過した際には、水分が取付け部５０に到達するまでにある程度の流れ落ちる距離があることから、端面４１ａの中央付近に近寄るように水分が流れ落ちることが想定され、このような場合にはバルコニーの内部構造部材に水分が浸入する可能性が高くなる。そこで、止水構造３００では、取付け部５０まで延出する左右二つの乾式止水材３０により、端面４１ａの中央付近に近寄るように水分が流れ落ちることを防止する。なお、他の実施形態の止水構造１００，２００においては、乾式止水材１０と押さえプレート２０の接着体が下方の取付け部５０の近傍に位置していることから、仮に水分が接着体を通過したとしても、取付け部５０までの距離が殆どないことから、端面４１ａの中央付近に近寄るように水分が流れ落ちる恐れはなく、従って左右二つの乾式止水材３０を設ける必要はない。しかしながら、止水構造１００，２００においても、止水構造３００と同様に、接着体の下方に短い長さ（取付け部５０までの距離が短いため）の左右二つの乾式止水材３０を設けてもよい。
【００５３】
なお、上記実施形態に挙げた構成等に対し、その他の構成要素が組み合わされるなどした他の実施形態であってもよく、ここで示した構成に本発明が何等限定されるものではない。この点に関しては、本発明の趣旨を逸脱しない範囲で変更することが可能であり、その応用形態に応じて適切に定めることができる。
【符号の説明】
【００５４】
１：壁、１Ａ：外壁パネル（外壁）、１ａ：水平凹部、１ｂ：鉛直凹部、１Ｂ：通気層、１Ｃ：透湿防水シート、１Ｄ：外張り断熱材、１Ｅ：断熱材、１Ｆ：防湿シート、１Ｇ：内装材、２：縦目地、３：掃き出し窓、４：バルコニー、１０：乾式止水材、１１：台座、１２：上プレート、１３：下プレート、１４：細棒、２０：押さえプレート、３０：乾式止水材、３１：台座、３２：細棒、４０：バルコニー腰壁、４１：腰壁フレーム、４１ａ：端面、４２：下地枠、４３：外壁パネル、４３ａ：鉛直凹部、４３ｂ：水平凹部、４４：内壁パネル、４４ａ：鉛直凹部、４４ｂ：水平凹部、４５：金属プレート、４６：バルコニー床梁、４７：固定用アングル、４８ボルト、５０：取付け部、１００，２００，３００：止水構造（外壁とバルコニー腰壁の止水構造）、Ｈ：建物（住宅）
【図１】
2019060149.tif 000003
【図２】
2019060149.tif 000004
【図３】
2019060149.tif 000005
【図４】
2019060149.tif 000006
【図５】
2019060149.tif 000007
【図６】
2019060149.tif 000008
【図７】
2019060149.tif 000009
【図８】
2019060149.tif 000010
【図９】
2019060149.tif 000011
【図１０】
2019060149.tif 000012
【図１１】
2019060149.tif 000013